【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
宛先識別子を含むユニキャストデバイスツーデバイス通信を受信することと、
前記宛先識別子を含むマルチキャストデバイスツーデバイス通信を受信することと、
前記ユニキャストデバイスツーデバイス通信のヘッダ中に提供される情報に基づいて前記ユニキャストデバイスツーデバイス通信を前記マルチキャストデバイスツーデバイス通信と差別化することと
を備える、方法。
【請求項２】
前記ユニキャストデバイスツーデバイス通信が前記マルチキャストデバイスツーデバイス通信と差別化されたときに送り側デバイスとのユニキャストシグナリングが遂行されたかどうかを決定することと、
前記送り側デバイスとの前記ユニキャストシグナリングが遂行されたと決定されたときに前記ユニキャストデバイスツーデバイス通信を処理することと
をさらに備える、請求項１に記載の方法。
【請求項３】
前記ユニキャストデバイスツーデバイス通信の前記ヘッダ中に提供される前記情報は、媒体アクセス制御（ＭＡＣ）バージョン番号を含み、
前記差別化することは、前記ユニキャストデバイスツーデバイス通信の前記ヘッダ中に提供される前記ＭＡＣバージョン番号に基づいて前記ユニキャストデバイスツーデバイス通信を前記マルチキャストデバイスツーデバイス通信と差別化することを備える、
請求項１に記載の方法。
【請求項４】
前記ユニキャストデバイスツーデバイス通信の前記ヘッダ中に提供される前記情報は、サービスデータユニット（ＳＤＵ）識別子を含み、
前記差別化することは、前記ユニキャストデバイスツーデバイス通信の前記ヘッダ中に提供される前記ＳＤＵ識別子に基づいて前記ユニキャストデバイスツーデバイス通信を前記マルチキャストデバイスツーデバイス通信と差別化することを備える、
請求項１に記載の方法。
【請求項５】
前記ユニキャストデバイスツーデバイス通信の前記ヘッダ中に提供される前記情報は、グループセキュリティキーの識別子と暗号化キーの識別子とを含み、
前記差別化することは、グループセキュリティキーの前記識別子の値と前記暗号化キーの前記識別子の値とに少なくとも部分的に基づいて前記ユニキャストデバイスツーデバイス通信を前記マルチキャストデバイスツーデバイス通信と差別化することを備える、
請求項１に記載の方法。
【請求項６】
前記グループセキュリティキーの前記識別子の前記値は、ゼロであり、前記暗号化キーの前記識別子の前記値は、非ゼロである、請求項５に記載の方法。
【請求項７】
前記グループセキュリティキーの前記識別子と前記暗号化キーの前記識別子とに少なくとも部分的に基づいて前記ユニキャストデバイスツーデバイス通信を処理すること
をさらに備える、請求項５に記載の方法。
【請求項８】
ワイヤレス通信の方法であって、
ユニキャストデバイスツーデバイス通信とマルチキャストデバイスツーデバイス通信とが受信機デバイスによって区別可能になるように、前記受信機デバイスを対象としたデータパケットを設定することと、
前記受信機デバイスに前記データパケットを送信することと
を備える、方法。
【請求項９】
前記データパケットを送信するより前に前記受信機デバイスとのユニキャストシグナリングを遂行すること
をさらに備える、請求項８に記載の方法。
【請求項１０】
前記設定することは、前記ユニキャストデバイスツーデバイス通信を前記マルチキャストデバイスツーデバイス通信と区別する前記データパケットのデータパケットヘッダ中で媒体アクセス制御（ＭＡＣ）バージョン番号を設定することを備える、請求項８に記載の方法。
【請求項１１】
前記設定することは、前記データパケットの前記データパケットヘッダ中で宛先識別子とユニキャストソース識別子とを設定することをさらに備える、請求項１０に記載の方法。
【請求項１２】
前記設定することは、前記ユニキャストデバイスツーデバイス通信を前記マルチキャストデバイスツーデバイス通信と区別する前記データパケットのデータパケットヘッダ中でサービスデータユニット（ＳＤＵ）識別子を設定することを備える、請求項８に記載の方法。
【請求項１３】
ワイヤレス通信のための装置であって、
宛先識別子を含むユニキャストデバイスツーデバイス通信を受信するための手段と、
前記宛先識別子を含むマルチキャストデバイスツーデバイス通信を受信するための手段と、
前記ユニキャストデバイスツーデバイス通信のヘッダ中に提供される情報に基づいて前記ユニキャストデバイスツーデバイス通信を前記マルチキャストデバイスツーデバイス通信と差別化するための手段と
を備える、装置。
【請求項１４】
ワイヤレス通信のための装置であって、
ユニキャストデバイスツーデバイス通信が受信機デバイスによってマルチキャストデバイスツーデバイス通信と区別可能になるように、前記受信機デバイスを対象としたデータパケットを設定するための手段と、
前記受信機デバイスに前記データパケットを送信するための手段と
を備える、装置。
【請求項１５】
少なくとも１つのコンピュータに、請求項１乃至１２のいずれかに記載のステップを行わせるための命令を備える、コンピュータプログラム。
【手続補正２】
【補正対象書類名】明細書
【補正対象項目名】００９９
【補正方法】変更
【補正の内容】
【００９９】
[00109]先の説明は、いかなる当業者であっても、ここに説明された様々な態様を実施することを可能にするために提供される。これらの態様への様々な修正は、当業者にとって容易に明らかとなり、ここに定義された包括的な原理は、他の態様に適用されうる。このことから、特許請求の範囲は、ここに示された態様に限定されるように意図されてはいないが、特許請求の範囲の文言と一致する全範囲を付与されるべきであり、ここにおいて、単数形での要素への言及は、そうであると具体的に記載されない限り、「１つおよび１つのみ」を意味するようには意図されず、むしろ「１つまたは複数」を意味する。「例証的（exemplary）」という用語は、ここでは、「例、事例、または例示としての役割を果たすこと」を意味するように使用される。「例証的」であるとしてここに説明されたいずれの態様も、他の態様より好ましいまたは有利であるとして必ずしも解釈されるべきではない。そうでないと具体的に記載されない限り、「何らかの／いくつかの／いくらかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含みうる。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣでありえ、ここで、任意のそのような組み合わせは、Ａ、Ｂ、またはＣの１つまた複数のメンバを含みうる。当業者に知られているか、または後に知られることとなる、この開示全体を通じて説明された様々な態様の要素と構造的および機能的に同等な物は全て、参照によってここに明確に組み込まれ、特許請求の範囲によって包含されるように意図される。その上、ここに開示されたものはいずれも、そのような開示が特許請求の範囲中に明示的に記載されているかどうかにかかわらず、公に献呈されるようには意図されていない。「モジュール」、「メカニズム」、「要素」、「デバイス」、等の用語は、「手段」という用語の代用ではないことがありうる。そのため、要素が「〜のための手段」というフレーズを使用して明確に記載されていない限り、どの請求項の要素もミーンズプラスファンクションとして解釈されるべきではない。
以下に本願の出願当初の特許請求の範囲に記載された発明を付記する。
［Ｃ１］
ワイヤレス通信の方法であって、
宛先識別子を含むユニキャストデバイスツーデバイス通信を受信することと、
前記宛先識別子を含むマルチキャストデバイスツーデバイス通信を受信することと、
前記ユニキャストデバイスツーデバイス通信のヘッダ中に提供される情報に基づいて前記ユニキャストデバイスツーデバイス通信を前記マルチキャストデバイスツーデバイス通信と差別化することと
を備える、方法。
［Ｃ２］
前記ユニキャストデバイスツーデバイス通信が前記マルチキャストデバイスツーデバイス通信と差別化されたときに送り側デバイスとのユニキャストシグナリングが遂行されたかどうかを決定することと、
前記送り側デバイスとの前記ユニキャストシグナリングが遂行されたと決定されたときに前記ユニキャストデバイスツーデバイス通信を処理することと
をさらに備える、Ｃ１に記載の方法。
［Ｃ３］
前記ユニキャストデバイスツーデバイス通信の前記ヘッダ中に提供される前記情報は、媒体アクセス制御（ＭＡＣ）バージョン番号を含み、
前記差別化することは、前記ユニキャストデバイスツーデバイス通信の前記ヘッダ中に提供される前記ＭＡＣバージョン番号に基づいて前記ユニキャストデバイスツーデバイス通信を前記マルチキャストデバイスツーデバイス通信と差別化することを備える、
Ｃ１に記載の方法。
［Ｃ４］
前記ユニキャストデバイスツーデバイス通信の前記ヘッダは、前記宛先識別子とユニキャストソース識別子とを備える、Ｃ３に記載の方法。
［Ｃ５］
前記ユニキャストデバイスツーデバイス通信の前記ヘッダ中に含まれる前記ＭＡＣバージョン番号、前記宛先識別子、または前記ユニキャストソース識別子のうちの１つまたは複数に基づいて前記ユニキャストデバイスツーデバイス通信を処理すること
をさらに備える、Ｃ４に記載の方法。
［Ｃ６］
論理チャネル識別子、または前記ユニキャストデバイスツーデバイス通信の前記ヘッダ中に含まれる前記ＭＡＣバージョン番号、前記宛先識別子、前記ユニキャストソース識別子のうちの１つまたは複数に基づいてパケットデータコンバージェンスプロトコル（ＰＤＣＰ）エンティティまたは無線リンク制御（ＲＬＣ）エンティティのうちの１つまたは複数を識別すること
をさらに備える、Ｃ４に記載の方法。
［Ｃ７］
前記ユニキャストデバイスツーデバイス通信の前記ヘッダ中に提供される前記情報は、サービスデータユニット（ＳＤＵ）識別子を含み、
前記差別化することは、前記ユニキャストデバイスツーデバイス通信の前記ヘッダ中に提供される前記ＳＤＵ識別子に基づいて前記ユニキャストデバイスツーデバイス通信を前記マルチキャストデバイスツーデバイス通信と差別化することを備える、
Ｃ１に記載の方法。
［Ｃ８］
前記ユニキャストデバイスツーデバイス通信の前記ヘッダは、前記宛先識別子とユニキャストソース識別子とを備える、Ｃ７に記載の方法。
［Ｃ９］
前記ユニキャストデバイスツーデバイス通信の前記ヘッダ中に含まれる前記ＳＤＵ識別子、前記宛先識別子、または前記ユニキャストソース識別子のうちの１つまたは複数に基づいて前記ユニキャストデバイスツーデバイス通信を処理すること
をさらに備える、Ｃ８に記載の方法。
［Ｃ１０］
論理チャネル識別子、または前記ユニキャストデバイスツーデバイス通信の前記ヘッダ中に含まれる前記ＳＤＵ識別子、前記宛先識別子、前記ユニキャストソース識別子のうちの１つまたは複数に基づいてパケットデータコンバージェンスプロトコル（ＰＤＣＰ）エンティティまたは無線リンク制御（ＲＬＣ）エンティティのうちの１つまたは複数を識別すること
をさらに備える、Ｃ８に記載の方法。
［Ｃ１１］
前記ユニキャストデバイスツーデバイス通信の前記ヘッダ中に提供される前記情報は、グループセキュリティキーの識別子と暗号化キーの識別子とを含み、
前記差別化することは、グループセキュリティキーの前記識別子の値と前記暗号化キーの前記識別子の値とに少なくとも部分的に基づいて前記ユニキャストデバイスツーデバイス通信を前記マルチキャストデバイスツーデバイス通信と差別化することを備える、
Ｃ１に記載の方法。
［Ｃ１２］
前記グループセキュリティキーの前記識別子の前記値は、ゼロであり、前記暗号化キーの前記識別子の前記値は、非ゼロである、Ｃ１１に記載の方法。
［Ｃ１３］
前記グループセキュリティキーの前記識別子と前記暗号化キーの前記識別子とに少なくとも部分的に基づいて前記ユニキャストデバイスツーデバイス通信を処理すること
をさらに備える、Ｃ１１に記載の方法。
［Ｃ１４］
ワイヤレス通信の方法であって、
ユニキャストデバイスツーデバイス通信とマルチキャストデバイスツーデバイス通信とが受信機デバイスによって区別可能になるように、前記受信機デバイスを対象としたデータパケットを設定することと、
前記受信機デバイスに前記データパケットを送信することと
を備える、方法。
［Ｃ１５］
前記データパケットを送信するより前に前記受信機デバイスとのユニキャストシグナリングを遂行すること
をさらに備える、Ｃ１４に記載の方法。
［Ｃ１６］
前記設定することは、前記ユニキャストデバイスツーデバイス通信を前記マルチキャストデバイスツーデバイス通信と区別する前記データパケットのデータパケットヘッダ中で媒体アクセス制御（ＭＡＣ）バージョン番号を設定することを備える、Ｃ１４に記載の方法。
［Ｃ１７］
前記設定することは、前記データパケットの前記データパケットヘッダ中で宛先識別子とユニキャストソース識別子とを設定することをさらに備える、Ｃ１６に記載の方法。
［Ｃ１８］
前記設定することは、前記ユニキャストデバイスツーデバイス通信を前記マルチキャストデバイスツーデバイス通信と区別する前記データパケットのデータパケットヘッダ中でサービスデータユニット（ＳＤＵ）識別子を設定することを備える、Ｃ１４に記載の方法。
［Ｃ１９］
前記設定することは、前記データパケットの前記データパケットヘッダ中で宛先識別子とユニキャストソース識別子とを設定することをさらに備える、Ｃ１８に記載の方法。
［Ｃ２０］
前記設定することは、前記ユニキャストデバイスツーデバイス通信を前記マルチキャストデバイスツーデバイス通信と区別する前記データパケットのデータパケットヘッダ中でグループセキュリティキーの識別子の値と暗号化キーの識別子の値とを設定することを備える、Ｃ１４に記載の方法。
［Ｃ２１］
前記グループセキュリティキーの前記識別子の前記値は、ゼロであり、前記暗号化キーの前記識別子の前記値は、非ゼロである、Ｃ２０に記載の方法。
［Ｃ２２］
ワイヤレス通信のための装置であって、
宛先識別子を含むユニキャストデバイスツーデバイス通信を受信するための手段と、  前記宛先識別子を含むマルチキャストデバイスツーデバイス通信を受信するための手段と、
前記ユニキャストデバイスツーデバイス通信のヘッダ中に提供される情報に基づいて前記ユニキャストデバイスツーデバイス通信を前記マルチキャストデバイスツーデバイス通信と差別化するための手段と
を備える、装置。
［Ｃ２３］
前記ユニキャストデバイスツーデバイス通信が前記マルチキャストデバイスツーデバイス通信と差別化されたときに送り側デバイスとのユニキャストシグナリングが遂行されたかどうかを決定するための手段と、
前記送り側デバイスとの前記ユニキャストシグナリングが遂行されたと決定されたときに前記ユニキャストデバイスツーデバイス通信を処理するための手段と
をさらに備える、Ｃ２２に記載の装置。
［Ｃ２４］
前記ユニキャストデバイスツーデバイス通信の前記ヘッダ中に提供される前記情報は、媒体アクセス制御（ＭＡＣ）バージョン番号を含み、
前記差別化するための手段は、前記ユニキャストデバイスツーデバイス通信の前記ヘッダ中に提供される前記ＭＡＣバージョン番号に基づいて前記ユニキャストデバイスツーデバイス通信を前記マルチキャストデバイスツーデバイス通信と差別化するように構成される、
Ｃ２２に記載の装置。
［Ｃ２５］
前記ユニキャストデバイスツーデバイス通信の前記ヘッダは、前記宛先識別子とユニキャストソース識別子とを備える、Ｃ２４に記載の装置。
［Ｃ２６］
前記ユニキャストデバイスツーデバイス通信の前記ヘッダ中に含まれる前記ＭＡＣバージョン番号、前記宛先識別子、または前記ユニキャストソース識別子のうちの１つまたは複数に基づいて前記ユニキャストデバイスツーデバイス通信を処理するための手段
をさらに備える、Ｃ２５に記載の装置。
［Ｃ２７］
前記論理チャネル識別子、または前記ユニキャストデバイスツーデバイス通信の前記ヘッダ中に含まれる前記ＭＡＣバージョン番号、前記宛先識別子、前記ユニキャストソース識別子のうちの１つまたは複数に基づいてパケットデータコンバージェンスプロトコル（ＰＤＣＰ）エンティティまたは無線リンク制御（ＲＬＣ）エンティティのうちの１つまたは複数を識別するための手段
をさらに備える、Ｃ２５に記載の装置。
［Ｃ２８］
前記ユニキャストデバイスツーデバイス通信の前記ヘッダ中に提供される前記情報は、サービスデータユニット（ＳＤＵ）識別子を含み、
前記差別化するための手段は、前記ユニキャストデバイスツーデバイス通信の前記ヘッダ中に提供される前記ＳＤＵ識別子に基づいて前記ユニキャストデバイスツーデバイス通信を前記マルチキャストデバイスツーデバイス通信と差別化するように構成される、
Ｃ２２に記載の装置。
［Ｃ２９］
前記ユニキャストデバイスツーデバイス通信の前記ヘッダ中に提供される前記情報は、グループセキュリティキーの識別子と暗号化キーの識別子とを含み、
前記差別化するための手段は、グループセキュリティキーの前記識別子の値と前記暗号化キーの前記識別子の値とに基づいて前記ユニキャストデバイスツーデバイス通信を前記マルチキャストデバイスツーデバイス通信と差別化するように構成される、
Ｃ２２に記載の装置。
［Ｃ３０］
ワイヤレス通信のための装置であって、
ユニキャストデバイスツーデバイス通信が受信機デバイスによってマルチキャストデバイスツーデバイス通信と区別可能になるように、前記受信機デバイスを対象としたデータパケットを設定するための手段と、
前記受信機デバイスに前記データパケットを送信するための手段と
を備える、装置。